(57)【要約】      （修正有）【課題】経済性に優れかつ信頼できる方法で製造でき、さらにダイキャスト部品として作られた既存の外側ハウジングおよびロックに利用できる同軸コネクタアセンブリを提供する。【解決手段】同軸コネクタアセンブリ１０は同軸ケーブル１４の中央導線の末端を成すように構成される内側接触子と内側接触子を保持する絶縁性の内側スリーブと内側スリーブおよび内側接触子を囲み同軸ケーブルのシールドブレードの末端を成すように構成される管状の外側接触子２４とその中を通って長手方向に延びて外側接触子が配設される中央空洞を画定する絶縁性で円筒形の外側スリーブ３０とを含む。空洞は、対応する同軸コネクタを受入れるように構成される開口部を有する。外側スリーブの前端のリップは、外側接触子の前方エッジが開口部の内部で露出されないように開口部の中に延びる。この同軸コネクタアセンブリは、ＦＡＫＲＡコネクタ規格に適合するよう構成されてよい。【選択図】図１
2018032622.tif 000002
【特許請求の範囲】
【請求項１】
同軸コネクタアセンブリ（１０）であって、
同軸ケーブル（１４）の中央導線（２０）の末端を成すように構成される内側接触子（１６）と、
前記内側接触子（１６）を保持する絶縁性の内側スリーブ（１８）と、
前記同軸ケーブル（１４）のシールドブレード（２８）の末端を成すように構成され、前記内側スリーブ（１８）および前記内側接触子（１６）を囲む管状の外側接触子（２４）と、
絶縁性で円筒形の外側スリーブ（３０）とを備えており、該外側スリーブ（３０）は、その中を通って長手方向に延びる中央空洞（３６）を画定しており、前記外側接触子（２４）が前記中央空洞（３６）配設されており、前記空洞（３６）は、対応する同軸コネクタ（１２）を受入れるように構成される開口部（３８）を有し、前記外側スリーブ（３０）の前端（４２）のリップ（４０）は、前記外側接触子（２４）の前方エッジ（４４）が前記開口部（３８）の内部で露出されないように、前記開口部（３８）の中に延びている、同軸コネクタアセンブリ（１０）。
【請求項２】
請求項１に記載の同軸コネクタアセンブリ（１０）において、
前記リップ（４０）が前記開口部（３８）に向かって内側に角度が付けられる、同軸コネクタアセンブリ（１０）。
【請求項３】
請求項１に記載の同軸コネクタアセンブリ（１０）において、
前記外側接触子（２４）が、前記外側接触子（２４）の外面（４８）から径方向に突出するロックタブ（４６）を画定しており、
前記外側スリーブ（３０）が、前記空洞（３６）から前記外側スリーブ（３０）の前記外面（４８）へ径方向に延びて、前記ロックタブ（４６）を受入れるアパーチャ（５０）を画定する、同軸コネクタアセンブリ（１０）。
【請求項４】
請求項１に記載の同軸コネクタアセンブリ（１０）において、
前記外側接触子（２４）が、一対のロックタブ（４６を画定しており、
前記一対のロックタブ（４６）の各ロックタブ（４６）が、前記外側接触子（２４）の外面（４８）の対向する両側部から突出し、
前記外側スリーブ（３０）が一対のアパーチャ（５０）を画定しており、
前記一対のアパーチャ（５０）の各アパーチャ（５０）が、前記空洞（３６）から、前記外側スリーブ（３０）の対向する両側壁（５２）を貫通して前記外面（４８）へ径方向に延びて、前記一対のロックタブ（４６）のうち１つを受入れる、同軸コネクタアセンブリ（１０）。
【請求項５】
請求項４に記載の同軸コネクタアセンブリ（１０）において、
前記外側スリーブ（３０）が一対の長手方向スロット（５４）を画定しており、
前記一対のスロット（５４）の各スロット（５４）が、前記外側スリーブ（３０）の対向する両側部を貫通して径方向に延び、
各スロット（５４）が前記一対のアパーチャ（５０）の中間にあり、前記一対のスロット（５４）が、前記外側スリーブ（３０）の側部が外側に曲がることが可能なように構成される、同軸コネクタアセンブリ（１０）。
【請求項６】
請求項５に記載の同軸コネクタアセンブリ（１０）において、
前記外側スリーブ（３０）が受入れられるコネクタハウジング（３２）をさらに備え、
前記コネクタハウジング（３２）が、前記外側スリーブ（３０）の前記側部が外側に曲がるのを抑制する、同軸コネクタアセンブリ（１０）。
【請求項７】
雌型同軸コネクタアセンブリ（１０）であって、
同軸ケーブル（１４）の中央導線（２０）の末端を成すように構成される内側接触子（１６）と、
第１の誘電体材料で形成され、前記内側接触子（１６）を保持する内側スリーブ（１８）と、
前記同軸ケーブル（１４）のシールドブレード（２８）の末端を成すように構成され、平坦な加工物から形成されて、前記内側スリーブ（１８）および前記内側接触子（１６）を囲む管状の外側接触子（２４）と、
第２の誘電体材料で形成される円筒形の外側スリーブ（３０）とを備え、該外側スリーブ（３０）は、その中を通る長手方向の空洞（３６）を画定しており、前記外側接触子（２４）は前記空洞（３６）内に配設されており、前記空洞（３６）は、対応する雄型同軸コネクタ（１２）を受入れるように構成される開口部（３８）を有し、外側スリーブ（３０）の前端（４２）のリップ（４０）は、前記開口部（３８）に向かって内側に角度が付けられて、前記外側接触子（２４）の前方エッジ（４４）が前記開口部（３８）の内部で露出されないように前記開口部（３８）の中に延びている、雌型同軸コネクタアセンブリ（１０）。
【請求項８】
請求項７に記載の雌型同軸コネクタアセンブリ（１０）において、
ロックタブ（４６）が前記平坦な加工物から形成され、
前記ロックタブ（４６）が前記外側接触子（２４）から径方向に突出し、
前記外側スリーブ（３０）が、前記空洞（３６）から前記外側スリーブ（３０）の前記外面（４８）へ径方向に延びて、前記ロックタブ（４６）が受入れられるアパーチャ（５０）を画定する、雌型同軸コネクタアセンブリ（１０）。
【請求項９】
請求項７に記載の雌型同軸コネクタアセンブリ（１０）において、
一対のロックタブ（４６）が前記平坦な加工物から形成され、
前記一対のロックタブ（４６）の各ロックタブ（４６）が前記外側接触子（２４）の対向する両側部から突出し、
前記外側スリーブ（３０）が一対のアパーチャ（５０）を画定し、
前記一対のアパーチャ（５０）の各アパーチャ（５０）が、前記空洞（３６）から前記外側スリーブ（３０）の対向する両側壁（５２）を貫通して前記外面（４８）へ径方向に延びて、前記一対のロックタブ（４６）のうちの１つを受入れ、
前記ロックタブ（４６）の後方エッジ（４６ｂ）が、前記アパーチャ（５０）の前方エッジ（４４）と係合して、それによって前記外側接触子（２４）が前記外側スリーブ（３０）から外れるのを防止する、雌型同軸コネクタアセンブリ（１０）。
【請求項１０】
請求項９に記載の雌型同軸コネクタアセンブリ（１０）において、
前記外側スリーブ（３０）が、前記外側スリーブ（３０）の後方フランジ（６８）から長手方向に延びる一対のスロット（５４）を画定し、
前記一対のスロット（５４）の各スロット（５４）が、前記外側スリーブ（３０）の対向する両側部を貫通して径方向に延び、
各スロット（５４）が前記一対のアパーチャ（５０）の中間にあり、
前記ロックタブ（４６）の前面（４６ａ）が前記外側スリーブ（３０）の前記後方フランジ（６８）に係合するときに、前記一対のスロット（５４）が、前記外側スリーブ（３０）の側部が外側に曲がることが可能なように構成された、雌型同軸コネクタアセンブリ（１０）。
【請求項１１】
請求項１０に記載の同軸コネクタアセンブリ（１０）において、
前記外側スリーブ（３０）が受入れられるコネクタハウジング（３２）をさらに備え、前記コネクタハウジング（３２）が、前記外側スリーブ（３０）の前記側部が外側に曲がるのを抑制し、それによって前記一対のロックタブ（４６）を前記一対のアパーチャ（５０）の中に保持する、雌型同軸コネクタアセンブリ（１０）。
【発明の詳細な説明】
【技術分野】
【０００１】
[0001]本発明は全体的に電気コネクタに関し、より詳細には雌型同軸コネクタアセンブリに関する。
【背景技術】
【０００２】
[0002]同軸ケーブルコネクタアセンブリは、全地球測位システム（ＧＰＳ）、インフォテインメントシステム、およびエアバッグシステムなど、多くの自動車用途に使用されてきた。一般に同軸ケーブルは、外側シールド導線、内側中央導線、誘電体、および絶縁外装から構成される。同軸ケーブルの外側導線および内側導線は、ソケットおよびプラグコネクタを介して接続する同軸ケーブルと電気的に連結することが多い。そのような従来の同軸ケーブルコネクタが、当技術分野で知られている。
【０００３】
[0003]多様なコネクタのタイプを規格化して、それによって混乱を避けるために、特定の業界規格が確立されてきた。これらの規格の１つはＦＡＫＲＡと称される。ＦＡＫＲＡとは、自動車分野での国際規格化の関係者を代表する、ドイツ規格協会（ドイツ語では「Ｄｅｕｔｓｃｈｅｓ  Ｉｎｓｔｉｔｕｔ  ｆｕｒ  Ｎｏｒｍｕｎｇ」で、ＤＩＮの略称でよく知られている）内の自動車規格委員会である。ＦＡＫＲＡ規格は、コネクタを適切に取付けるために、キーイングおよび色コーディングに基づくシステムを提供する。ＦＡＫＲＡコネクタでは、同様のソケットキーは同様のプラグのキー溝にしか接続できない。コネクタハウジングの安全な位置付けおよびロックは、ＦＡＫＲＡで規定された、ソケットハウジングの留め金および協働するプラグハウジングの掛け金によって円滑化される。
【０００４】
[0004]コネクタアセンブリは、内側接触子および内側接触子の遮蔽を提供する外側接触子を含む。一般に外側接触子は、製造するのに高価な、亜鉛ダイキャストまたはねじ切り盤による部品から製造される。
【０００５】
[0005]経済性に優れ、かつ信頼できる方法で製造できるコネクタアセンブリに対する要望が依然としてある。さらに、打ち抜き部品および成形部品などの高価ではない部品を、ダイキャスト部品として作られた既存の外側ハウジングおよびロックに利用できるコネクタアセンブリに対する要望が、依然としてある。
【０００６】
[0006]背景技術のセクションで説明された主題は、背景技術のセクションで述べた従来技術の単なる結果としての従来技術と見なすべきではない。同様に、背景技術のセクションで述べられた課題、または背景技術のセクションの主題に関連付けられた課題は、従来技術で事前に理解されたものと見なすべきではない。背景技術のセクションの主題は、それ自体も発明であり得る、異なるアプローチを表わすにすぎない。
【発明の概要】
【課題を解決するための手段】
【０００７】
[0007]本発明の一実施形態において、同軸コネクタアセンブリが提供される。同軸コネクタアセンブリは、同軸ケーブルの中央導線の末端を成すように構成される内側接触子と、内側接触子をその中に保持する絶縁性の内側スリーブと、内側スリーブおよび内側接触子を囲む管状の外側接触子とを含む。外側接触子は、同軸ケーブルのシールドブレードの末端を成すように構成される。同軸コネクタアセンブリは、その長手方向に延びる中央空洞を画定する、絶縁性で円筒形の外側スリーブをさらに含む。外側接触子は、この空洞内に配設される。空洞は、対応する同軸コネクタを受入れるように構成される開口部を有する。外側スリーブの前端のリップは、外側接触子の前方エッジが開口部の内部で露出されないように、開口部の中に延びる。このリップは、開口部に向かって内側に角度を付けられてよい。
【０００８】
[0008]外側接触子は、外側接触子の外面から径方向に突出するロックタブを画定してよい。外側スリーブはまた、空洞から外側スリーブの外面へ径方向に延びて、このロックタブが受入れられるアパーチャも画定してよい。
【０００９】
[0009]代替として、外側接触子は一対のロックタブを画定してよい。この一対のロックタブの各ロックタブは、外側接触子の外面の対向する両側部から突出する。外側スリーブもまた一対のアパーチャを画定してよい。一対のアパーチャの各アパーチャは、空洞から、一対のロックタブの１つを受入れる外側スリーブの対向する両側部を貫通して、外面へ径方向に延びる。
【００１０】
[0010]空洞は、一対の長手方向のスロットを画定してよい。一対のスロットの各スロットは、外側スリーブの対向する両側部を貫通して径方向に延び、各スロットは一対のアパーチャの中間にある。一対のスロットは、外側スリーブの側部が外側に曲がることが可能なように構成される。
【００１１】
[0011]同軸コネクタアセンブリは、外側スリーブが受入れられるコネクタハウジングをさらに含んでよい。コネクタハウジングは、外側スリーブの側部が外側に曲がるのを抑制する。
【００１２】
[0012]本発明の別の実施形態において、雌型同軸コネクタアセンブリが提供される。雌型同軸コネクタアセンブリは、同軸ケーブルの中央導線の末端を成すように構成される内側接触子と、第１の誘電体材料で形成されて内側接触子を保持する内側スリーブと、平坦な加工物から形成される管状の外側接触子とを含む。外側接触子は内側スリーブおよび内側接触子を囲む。外側接触子は、同軸ケーブルのシールドブレードの末端を成すように構成される。雌型同軸コネクタアセンブリはまた、第２の誘電体材料から形成される円筒形の外側スリーブも含む。外側スリーブは、外側スリーブを貫通して延びる長手方向の空洞を画定する。外側接触子は、この空洞内に配設される。空洞は、対応する雄型同軸コネクタを受入れるように構成される開口部を有する。外側スリーブの前端のリップは、開口部に向かって内側に角度が付けられ、外側接触子の前方エッジが開口部の内部で露出されないように、開口部の中に延びる。
【００１３】
[0013]ロックタブは平坦な加工物から形成されてよい。ロックタブは、外側接触子から径方向に突出する。また外側スリーブは、空洞から外側スリーブの外面に径方向に延びて、このロックタブが受入れられるアパーチャも画定してよい。
【００１４】
[0014]代替として、一対のロックタブは平坦な加工物から形成されてよい。一対のロックタブの各ロックタブは、外側接触子の対向する両側部から突出する。外側スリーブもまた一対のアパーチャを画定してよい。一対のアパーチャの各アパーチャは、空洞から外側スリーブの対向する両側部を貫通して、外面へ径方向に延びて一対のロックタブの１つを受入れる。ロックタブの後方エッジは、アパーチャの前方エッジと係合し、それによって外側接触子が外側スリーブから外れるのを防止する。
【００１５】
[0015]外側スリーブは、外側スリーブの後方フランジから長手方向に延びる一対のスロットを画定してよい。一対のスロットの各スロットは、外側スリーブの対向する両側部を貫通して径方向に延びる。各スロットは一対のアパーチャの中間に位置する。ロックタブの前面が外側スリーブの後方フランジと係合するときに、一対のスロットは、外側スリーブの両側部が外側に曲がることが可能なように構成される。
【００１６】
[0016]雌型同軸コネクタは、外側スリーブが受入れられるコネクタハウジングをさらに含んでよい。コネクタハウジングは、外側スリーブの側部が外側に曲がるのを抑制し、それによって一対のロックタブを一対のアパーチャの中に保持する。
【００１７】
[0017]次に、添付の図面を例として参照して、本発明が説明される。
【図面の簡単な説明】
【００１８】
【図１】[0018]一実施形態による同軸コネクタアセンブリの斜視図である。
【図２】[0019]一実施形態による、図１の同軸コネクタアセンブリの分解斜視図である。
【図３】[0020]一実施形態による、図１の同軸コネクタアセンブリの断面図である。
【図４】[0021]一実施形態による、図１の同軸コネクタアセンブリの外側スリーブおよび同軸コネクタの斜視図である。
【図５】[0022]一実施形態による、外側スリーブおよび同軸コネクタ組立てのプロセス図である。
【図６】[0023]一実施形態による、同軸コネクタと組立てられた外側スリーブの斜視図である。
【図７】[0024]一実施形態による、図１の同軸コネクタアセンブリのコネクタハウジングの斜視図である。
【図８】[0025]図８Ａは一実施形態による、図１の同軸コネクタアセンブリの代替斜視図である。[0026]図８Ｂは一実施形態による、図８Ａの同軸コネクタアセンブリの断面図である。
【図９】[0027]図９Ａは一実施形態による、コネクタハウジングに対する異なる配向の同軸コネクタを伴う、図１の同軸コネクタアセンブリの背面図である。図９Ｂは一実施形態による、コネクタハウジングに対する異なる配向の同軸コネクタを伴う、図１の同軸コネクタアセンブリの背面図である。図９Ｃは一実施形態による、コネクタハウジングに対する異なる配向の同軸コネクタを伴う、図１の同軸コネクタアセンブリの背面図である。
【発明を実施するための形態】
【００１９】
[0028]本明細書では、遮蔽された同軸ケーブルの末端を成すように構成され、自動車用途の使用に好適な、同軸コネクタアセンブリの説明が提示される。
[0029]図１〜図３は、直角の雌型同軸コネクタアセンブリの非限定の例であり、以降アセンブリ１０と称する。アセンブリ１０は、同軸ケーブル１４に取付けられた直角の雌型同軸コネクタを含み、以降同軸コネクタ１２と称する。雌型同軸コネクタは、絶縁性の内側スリーブ１８内に入っている内側接触子１６を含む。内側接触子１６は、同軸ケーブル１４の中央導線２０の末端を成すように構成され、対応して接続する雄型同軸コネクタアセンブリ（図示せず）の内側接触子（図示せず）との接触を提供する。内側接触子１６は、銅などの導電性材料で形成されてよく、内側接触子１６の領域によって、たとえばニッケル、錫、または金でメッキしてよい。内側接触子１６は、打ち抜きおよび圧延して概ね管状にされた単一の加工物から形成される。内側接触子１６の一方の端は、第１の雌型ソケット１６ａを画定する。第１の雌型ソケット１６ａは、対応して接続する雄型同軸コネクタアセンブリの雄型ピンの内側接触子を受入れるように構成される。内側接触子１６の他方の端は、第２のソケット１６ｂを画定する。第２のソケット１６ｂは第１のソケット１６ａに対して概ね９０°の角度で配向される（方向決めされる）。第２のソケット１６ｂは、同軸ケーブル１４の中央導線２０に取付けられる雄型ピン末端２２を受入れるように構成される。他の実施形態は雄型ピン末端を省略してよく、同軸ケーブル１４の中央導線２０は第２のソケット１６ｂの中に直接受入れられてよい。
【００２０】
[0030]同軸コネクタ１２はまた、内側接触子１６および内側スリーブ１８を保持するように構成された、外側接触子２４も含む。外側接触子２４は導電性材料の平坦シート（図示せず）から形成され、互いに実質的に直角に配向される（方向決めされる）第１および第２の胴部２４ａ、２４ｂに折り曲げられる。また外側接触子２４は、導電性材料のシートから形成され、メッキされてもよい。長手方向に（たとえばＸ軸に沿って）延びる第１の胴部２４ａは、内側接触子１６を入れる内側スリーブ１８を受入れるように構成される。垂直方向に（たとえばＺ軸に沿って）延びる第２の胴部２４ｂは、同軸ケーブル１４を受入れるように構成され、外側接触子２４にかしめられた管状口輪２６によって同軸ケーブル１４のシールド導線２８に取付けるように構成されている。外側接触子２４は、導電性材料から形成され、同軸ケーブル１４のシールド導線２８と、対応して接続する雄型同軸コネクタアセンブリの外側接触子（図示せず）との間の電気的連続性を提供する。
【００２１】
[0031]外側接触子２４は、コネクタハウジング３２の中にスナップ嵌めされる絶縁性の外側スリーブ３０内に保持される。コネクタハウジング３２は、接続する雄型同軸コネクタアセンブリの対応するコネクタハウジングを受入れるように構成されている。コネクタハウジング３２は、コネクタ位置保証（ＣＰＡ）装置３４をさらに含む。このアセンブリ１０は、ＦＡＫＲＡ規格に準拠してよい。
【００２２】
[0032]ＦＡＫＲＡコネクタは、ＦＡＫＲＡの自動車専門グループによって確立された統一コネクタシステムの規格に従うインターフェースを有する、無線周波数（ＲＦ）コネクタである。ＦＡＫＲＡコネクタは、自動車適用の高い機能性と安全性要求を満たす、規格化されたキーイングシステムおよびロックシステムを有する。ＦＡＫＲＡコネクタは、超小型バージョンＢコネクタ（ＳＭＢコネクタ）に基づいており、スナップオン連結に特徴がある。ＦＡＫＲＡコネクタは、５０オームまたは７５オームのインピーダンスを提供するよう設計されている。同軸コネクタ１２は、本明細書で説明されたＦＡＫＲＡコネクタ以外の他のタイプのコネクタを利用してよい。
【００２３】
[0033]図２および図３に示すように、外側スリーブ３０は、外側スリーブ３０を長手方向に（すなわちＸ軸に沿って）貫通して延びて同軸コネクタ１２が配設される、中央スリーブ空洞（キャビティ）３６を画定する。このスリーブ空洞３６は開口部３８を有し、そこを介し、対応して接続する雄型同軸コネクタが受入れられる。図３に最もよく示されるように、外側スリーブ３０の前端４２のリップ４０は、開口部３８の中に延びている。それによって、外側接触子２４の前方エッジ４４が、リップ４０によって覆われ、開口部３８の内部で露出されないようになっている。本明細書で使用するとき、前方および後方は、同軸コネクタの一方から他方に挿入する方向に基づいて言及される。リップ４０は、内側に開口部３８に向かって角度を付けられる。このリップ４０は、対応する雄型同軸コネクタの外側接触子を、同軸コネクタ１２の外側接触子２４の内側に導き、雄型および雌型同軸コネクタを接続するときに、外側接触子２４の前方エッジ４４と、対応する雄型同軸コネクタの外側接触子の前方エッジとがぶつからないよう防護する。
【００２４】
[0034]図４〜図６は、外側スリーブ３０を同軸コネクタ１２に組立てるプロセスを示す。図４に示されるように、外側接触子２４は、エンボス加工プロセスによって外側接触子２４に形成された、一対のロックタブ４６を画定する。代替的に、ロックタブ４６は、外側接触子２４の側部のタブを切断して、それらを外側に曲げることによって形成されてよい。各ロックタブ４６は、外側接触子２４の外面４８の対向する両側部から突出する。各ロックタブ４６の前面４６ａは、外側接触子２４の外面４８に対して鋭角を画定する。各ロックタブ４６の後方エッジ４６ｂは、外側接触子２４の外面４８に対して実質的に垂直かつ同心である表面を画定する。
【００２５】
[0035]図４でさらに示されるように、外側スリーブ３０は、外側スリーブ３０の側壁５２に一対のアパーチャ５０を画定する。各アパーチャ５０は、スリーブ空洞３６から径方向に、一方が他方と対向して、外側スリーブ３０の側壁５２を貫通して延びている。ロックタブ４６の内の１つは、各アパーチャ５０に受入れられる。外側スリーブ３０はまた、スリーブの後端５６から長手方向に（すなわちＸ軸に沿って）延びる一対のスロット５４も画定する。スロット５４は、外側スリーブ３０の前端４２までは延びない。スロット５４の各々は、スリーブ空洞３６から径方向に、一方が他方と対向して、外側スリーブ３０の側壁５２を貫通して延びる。各スロット５４は、前記一対のアパーチャ５０の中間に位置する。図５で示されるように、同軸コネクタ１２が外側スリーブ３０内に挿入されると、ロックタブ４６の角度が付いた前面は、外側スリーブ３０の後端５６に接触して、外側スリーブ３０に、外側に向けた力を加える。スロット５４によって、外側スリーブ３０の側壁５２が外側に曲がることができ、これにより、ロックタブ４６が後端５６をスライドして越えてアパーチャ５０に入ることが可能となっている。ロックタブ４６の後方エッジ４６ｂがアパーチャ５０に入ると、外側スリーブ３０の側壁５２は元の位置まで内側に曲がり、図６に示されるように、ロックタブ４６の後方エッジ４６ｂは外側スリーブ３０と係合して、同軸コネクタ１２が外側スリーブ３０から外れるのを防止する。
【００２６】
[0036]コネクタハウジング３２が図７〜図８Ｂに詳細に示される。図に示されるように、コネクタハウジング３２は長手方向（すなわちＸ軸）に沿って延びる。コネクタハウジング３２は誘電体材料、好ましくはポリマー材料で作られる。コネクタハウジング３２は、外側スリーブ３０を受入れるように構成されたハウジング空洞（ハウジングキャビティ）５８（図７参照）を画定する。図７にさらに示されるように、コネクタハウジング３２は、コネクタハウジング３２の長手方向端のうちの１つにおいて、一方が他方に対向して側壁５２に配置される、２つの弾性のある１次ロックアーム６０を含む。ここで示される例では２つのロックアーム６０が示されるが、他の実施形態ではより多いまたはより少ないロックアームを有するものと想定してよい。
【００２７】
[0037]図７で示されるように、ハウジング空洞５８の内面６２は、２次ロック機能部として役立つ、１つまたは複数の剛性の尖った先端６４を画定してよい。尖った先端６４は、ハウジング空洞５８の周囲へ均等に配置されてもよく、均等に配置されなくてもよい。図示の例の尖った先端６４は、コネクタハウジング３２の、１次ロックアーム６０と同じ長手方向端またはその近傍に配置されている。
【００２８】
[0038]再び図６を参照すると、外側スリーブ３０は、アパーチャ５０の前方に位置する断続した前方スプリットフランジ６６と、アパーチャ５０の後方に位置する後方スプリットフランジ６８とを画定する。
【００２９】
[0039]図８Ａおよび図８Ｂに示されるように、同軸コネクタ１２および同軸ケーブル１４を伴う外側スリーブ３０が、ハウジング空洞５８の中に挿入される。図８Ｂに示されるように、同軸コネクタ１２および同軸ケーブル１４は、１２時方向の位置にある。この配向において、尖った先端６４は前方フランジ６６の障害物７０を通り抜けることができる。ハウジング空洞５８に完全に挿入されると、外側スリーブ３０の側壁５２はハウジング空洞５８の内面６２にほぼ接触して、外側スリーブ３０の外に向かう動きを防止し、ロックタブ４６をアパーチャ５０内に固定する。１次ロックアーム６０は前方フランジ６６も係合して、外側スリーブ３０がハウジング空洞５８から外れるのを防止する。外側スリーブ３０がハウジング空洞５８に完全に挿入されると、使用者は外側スリーブ３０を図９Ａ〜図９Ｃに示されるように回転できる。同軸コネクタ１２および同軸ケーブル１４が、１２時の位置から３時、６時、９時などの別の位置に回転されると、尖った先端（尖端）６４が前方フランジ６６と係合して、外側スリーブ３０がハウジング空洞５８から外れるのも防止する。後方フランジ６８は、前方フランジ６６と同じサイズである。後方フランジは、尖った先端６４の後ろで停止して、適切な位置を提供する。両フランジの外周面は、ハウジング空洞５８の内面６２と相互作用して、ハウジング３２に対する外側スリーブ３０の移動／がたつきを制限する。外側スリーブ３０がハウジング空洞５８に挿入されると、後方フランジ６８はコネクタハウジング３２と接触し、ハウジング空洞５８内での外側スリーブ３０の適切な位置を提供する。
【００３０】
[0040]図示の例のアセンブリ１０が、同軸ケーブル１４と外側接触子および内側接触子との間で、直角すなわち９０°の構成である一方で、他の実施形態では、同軸コネクタが直線すなわち１８０°の構成または任意の他の角度構成としてもよい。
[0041]さらに、本明細書に示されるアセンブリ１０が、雌型ソケットの内部接触子１６を含むために雌型同軸コネクタアセンブリと称される一方で、他の実施形態では、アセンブリ１０が雄型ピンの内部接触子を含むようにしてもよい。
【００３１】
[0042]このようにして、同軸コネクタアセンブリ１０が提供される。アセンブリ１０は、コネクタハウジング３２内で同軸コネクタ１２を保持する外側スリーブ３０を含む。この外側スリーブ３０は前端４２にリップ４０を有する。リップ４０は、接続する同軸コネクタの外側接触子を、同軸コネクタ１２の外側接触子２４内に導く。リップ４０は、また、同軸コネクタ１２の外側接触子２４の前方エッジ４４を覆い、これによって外側接触子同士が接続されるときに、ぶつかる（すなわち接触子のバッティング）のを防ぐ。コネクタハウジング３２はまた、１次および２次ロック部も含み、コネクタハウジング３２内で同軸コネクタ１２を保持する外側スリーブ３０を固定する。このアセンブリ１０は、ＦＡＫＲＡコネクタ規格に適合するよう構成されてよい。
【００３２】
[0043]本発明が、その好ましい実施形態という点で説明されたが、そのような限定を意図するものではなく、むしろ以下の特許請求の範囲に記載される範囲においてのみ限定される。さらに、使用される、第１の、第２の、１次、２次などの用語は、いかなる重要性の順番をも意味せず、むしろ、第１の、第２の、などの用語は、１つの要素を別の要素と区別するために使用される。その上、１つの、などの用語の使用は数量の限定を意味せず、むしろ参照される要素のうちの少なくとも１つの存在を意味する。
【符号の説明】
【００３３】
１０  アセンブリ、同軸コネクタアセンブリ、雌型同軸コネクタアセンブリ
１２  同軸コネクタ
１４  同軸ケーブル
１６  内側接触子
１６ａ  第１のソケット
１６ｂ  第２のソケット
１８  内側スリーブ
２０  中央導線
２２  雄型ピン末端
２４  外側接触子
２４ａ  第１の胴部
２４ｂ  第２の胴部
２６  管状口輪
２８  シールド導線、シールドブレード
３０  外側スリーブ
３２  コネクタハウジング
３４  コネクタ位置保証（ＣＰＡ）装置
３６  スリーブ空洞
３８  開口部
４０  リップ
４２  前端
４４  前方エッジ
４６  ロックタブ
４６ａ  前面
４６ｂ  後方エッジ
４８  外面
５０  アパーチャ（孔）
５２  側壁
５４  スロット
５６  後端
５８  ハウジング空洞
６０  １次ロックアーム
６２  内面
６４  尖った先端
６６  前方フランジ、前方スプリットフランジ
６８  後方フランジ、後方スプリットフランジ
７０  障害物
【図１】
2018032622.tif 000003
【図２】
2018032622.tif 000004
【図３】
2018032622.tif 000005
【図４】
2018032622.tif 000006
【図５】
2018032622.tif 000007
【図６】
2018032622.tif 000008
【図７】
2018032622.tif 000009
【図８】
2018032622.tif 000010
【図９】
2018032622.tif 000011
【外国語明細書】
2018032622000001.pdf